【手続補正書】
【提出日】平成19年11月21日(2007.11.21)
【手続補正１】
【補正対象書類名】明細書
【補正対象項目名】全文
【補正方法】変更
【補正の内容】
【書類名】  明細書
【発明の名称】ロール紙取付清掃具
【特許請求の範囲】
【請求項１】
液体吸収性の帯状の紙を捲着させたロール紙と、該ロール紙を回転可能に軸着した柄部と、該柄部に固定された円弧面を有する清掃台と、前記ロール紙に接触して送出する回転可能な送出ローラーと、該送出ローラーで送出されたロール紙を切断する切断部と、前記ロール紙の回転を規制するロール紙規制部と、を備え、前記ロール紙は前記清掃台の外周に接触させて展出させると共に前記送出ローラーに周接して前記切断部で切断可能に配設したことを特徴とするロール紙取付清掃具。
【請求項２】
液体吸収性の帯状の紙を捲着させたロール紙と、該ロール紙を回転可能に軸着した柄部と、前記ロール紙に接触して送出する回転可能な送出ローラーと、該送出ローラーで送出されたロール紙を切断する切断部と、前記ロール紙の回転を規制するロール紙規制部と、を備え、前記ロール紙は前記送出ローラーに周接して前記切断部で切断可能に配設したことを特徴とするロール紙取付清掃具。
【請求項３】
液体吸収性の帯状の紙を捲着させたロール紙と、該ロール紙を回転可能に先端に軸着した円弧面を有する清掃台と、該清掃台の基端と一方端を枢動可能に枢着したケース台と、該ケース台の他方端に枢動可能に枢着したケースカバーと、前記ロール紙に接触して送出する回転可能な送出ローラーと、該送出ローラーで送出されたロール紙を切断する切断部と、を備え、前記ロール紙は前記送出ローラーに周接して前記切断部で切断可能に配設したことを特徴とするロール紙取付清掃具。
【請求項４】
液体吸収性の帯状の紙を捲着させたロール紙と、該ロール紙を突出状態で回転可能に軸着した収容開口を有した柄部と、該柄部の収容開口を閉蓋する保護カバーと、前記ロール紙に接触させて送出する前記柄部に突出させると共に回転可能な送出ローラーと、該送出ローラーで送出されたロール紙を切断する切断部と、を備え、前記ロール紙は前記送出ローラーに周接して前記切断部で切断可能に配設したことを特徴とするロール紙取付清掃具。
【請求項５】
液体吸収性の帯状の紙を捲着させたロール紙と、該ロール紙のロール芯に回転可能に接続した柄部と、前記ロール芯を回転させる送出ローラーと、該送出ローラーで送出されたロール紙を切断する切断部と、を備え、前記ロール紙は前記送出ローラーに周接して前記切断部で切断可能に配設したことを特徴とするロール紙取付清掃具。
【請求項６】
液体吸収性の帯状の紙を捲着させたロール紙と、該ロール紙を回転可能に収納する開口を有した略半円筒状の収納容器と、該収納容器の開口を閉蓋するように装着した円弧面を有する清掃台と、該清掃台を覆うように設けられたケースカバーと、前記ロール紙に接触して送出する回転可能な送出ローラーと、該送出ローラーで送出されたロール紙を切断する切断部と、を備え、前記ロール紙は前記送出ローラーに周接して前記切断部で切断可能に配設したことを特徴とするロール紙取付清掃具。
【発明の詳細な説明】
【０００１】
【発明の属する技術分野】
本発明は、液体吸収性の帯状の紙を捲着させたロール紙を取り付けた清掃具に関するもので、更に詳細には、水分、汗、液体状の汚れ等、またはこれらを含んだ埃、ゴミ等を吸収するあぶらとり紙や清掃紙をロール状にしたものを使用後に切断、または使用後にロールに巻取り使い易くするロール紙取付清掃具に関するものである。
【０００２】
【従来の技術】
従来、パルプ、和紙、麻、シルク等を使用、または混合し圧縮して作成したあぶらとり紙や清掃紙があり、近年では、帯状の紙を捲着させたロール状のあぶらとり紙や清掃紙がある。
【０００３】
【発明が解決しようとする課題】
然し乍ら、ロール状のあぶらとり紙は切断してから使用しなければならず、紙自身が薄く指先で扱いにくい。また、指先で使用するためあぶら分が手についたりするもので、また、清掃紙についても汚れが手についてしまい、後で手を洗わなければならなかった。
【０００４】
【課題を解決するための手段】
前記問題点を解消するために、本発明の請求項１に記載のロール紙取付清掃具清掃具は、液体吸収性の帯状の紙を捲着させたロール紙と、ロール紙を回転可能に軸着した柄部と、柄部に固定された円弧面を有する清掃台と、ロール紙に接触して送出する回転可能な送出ローラーと、送出ローラーで送出されたロール紙を切断する切断部と、ロール紙の回転を規制するロール紙規制部と、を備え、ロール紙は清掃台の外周に接触させて展出させると共に送出ローラーに周接して切断部で切断可能に配設したものである。
【０００５】
更に、請求項２に記載のロール紙取付清掃具清掃具は、液体吸収性の帯状の紙を捲着させたロール紙と、ロール紙を回転可能に軸着した柄部と、ロール紙に接触して送出する回転可能な送出ローラーと、送出ローラーで送出されたロール紙を切断する切断部と、ロール紙の回転を規制するロール紙規制部と、を備え、ロール紙は送出ローラーに周接して切断部で切断可能に配設したものである。
【０００６】
更には、請求項３に記載のロール紙取付清掃具清掃具は、液体吸収性の帯状の紙を捲着させたロール紙と、ロール紙を回転可能に先端に軸着した円弧面を有する清掃台と、清掃台の基端と一方端を枢動可能に枢着したケース台と、ケース台の他方端に枢動可能に枢着したケースカバーと、ロール紙に接触して送出する回転可能な送出ローラーと、送出ローラーで送出されたロール紙を切断する切断部と、を備え、ロール紙は送出ローラーに周接して切断部で切断可能に配設したものである。
【０００７】
加えて、請求項４に記載のロール紙取付清掃具清掃具は、液体吸収性の帯状の紙を捲着させたロール紙と、ロール紙を突出状態で回転可能に軸着した収容開口を有した柄部と、柄部の収容開口を閉蓋する保護カバーと、ロール紙に接触させて送出する前記柄部に突出させると共に回転可能な送出ローラーと、送出ローラーで送出されたロール紙を切断する切断部と、を備え、ロール紙は送出ローラーに周接して切断部で切断可能に配設したものである。
【０００８】
また、請求項５に記載のロール紙取付清掃具清掃具は、液体吸収性の帯状の紙を捲着させたロール紙と、ロール紙のロール芯に回転可能に接続した柄部と、ロール芯を回転させる送出ローラーと、送出ローラーで送出されたロール紙を切断する切断部と、を備え、ロール紙は送出ローラーに周接して切断部で切断可能に配設したものである。
【０００９】
更には、請求項６に記載のロール紙取付清掃具清掃具は、液体吸収性の帯状の紙を捲着させたロール紙と、ロール紙を回転可能に収納する開口を有した略半円筒状の収納容器と、収納容器の開口を閉蓋するように装着した円弧面を有する清掃台と、清掃台を覆うように設けられたケースカバーと、ロール紙に接触して送出する回転可能な送出ローラーと、送出ローラーで送出されたロール紙を切断する切断部と、を備え、ロール紙は送出ローラーに周接して切断部で切断可能に配設したものである。
【００１０】
【発明の実施の形態】
以下、本発明のロール紙取付清掃具清掃具の実施の形態を図面を参照して説明すると、図１は本発明のロール紙取付清掃具の実施例１の正面図であり、図２は本発明のロール紙取付清掃具の実施例２の正面図であり、図３は本発明のロール紙取付清掃具の実施例３の（ａ）は使用時の正面図、（ｂ）は収納状態を示す正面図、（ｃ）は収納時の正面図であり、図４は本発明のロール紙取付清掃具の実施例４の（ａ）は斜視図、（ｂ）は使用状態の説明図であり、図５は本発明のロール紙取付清掃具の実施例５の（ａ）は分解斜視図、（ｂ）は組立正面図、（ｃ）は平面図、（ｄ）は使用状態の説明図であり、図６は本発明のロール紙取付清掃具の実施例６の（ａ）は断面説明図、（ｂ）は使用状態の平面図、（ｃ）（ｄ）は使用状態の正面図である。
【００１１】
本発明は、液体吸収性の帯状の紙を捲着させたロール紙を取り付けた清掃具に関するもので、更に詳細には、水分、汗、液体状の汚れ等、またはこれらを含んだ埃、ゴミ等を吸収するあぶらとり紙や清掃紙をロール状にしたものを使用後に切断、または使用後にロールに巻取り使いやすくするロール紙取付清掃具に関するものであり、請求項１に記載のロール紙取付清掃具は、液体吸収性の帯状の紙を捲着させたロール紙１と、該ロール紙１を回転可能に軸着した柄部８と、該柄部８に固定された円弧面を有する清掃台７と、前記ロール紙１に接触して送出する回転可能な送出ローラー６と、該送出ローラー６で送出されたロール紙１を切断する切断部５と、前記ロール紙１の回転を規制するロール紙規制部３と、を備え、前記ロール紙１は前記清掃台７の外周に接触させて展出させると共に前記送出ローラー６に周接して前記切断部５で切断可能に配設したことを特徴とするものである。
【００１２】
更に、請求項２に記載のロール紙取付清掃具は、液体吸収性の帯状の紙を捲着させたロール紙１と、該ロール紙１を回転可能に軸着した柄部８と、前記ロール紙１に接触して送出する回転可能な送出ローラー６と、該送出ローラー６で送出されたロール紙１を切断する切断部５と、前記ロール紙１の回転を規制するロール紙規制部３と、を備え、前記ロール紙１は前記送出ローラー６に周接して前記切断部５で切断可能に配設したことを特徴とするものである。
【００１３】
更には、請求項３に記載のロール紙取付清掃具は、液体吸収性の帯状の紙を捲着させたロール紙１と、該ロール紙１を回転可能に先端に軸着した円弧面を有する清掃台７と、該清掃台７の基端と一方端を枢動可能に枢着したケース台１０と、該ケース台１０の他方端に枢動可能に枢着したケースカバー９と、前記ロール紙１に接触して送出する回転可能な送出ローラー６と、該送出ローラー６で送出されたロール紙１を切断する切断部５と、を備え、前記ロール紙１は前記送出ローラー６に周接して前記切断部５で切断可能に配設したことを特徴とするものである。
【００１４】
加えて、請求項４に記載のロール紙取付清掃具は、液体吸収性の帯状の紙を捲着させたロール紙１と、該ロール紙１を突出状態で回転可能に軸着した収容開口を有した柄部８と、該柄部８の収容開口を閉蓋する保護カバー１１と、前記ロール紙１に接触させて送出する前記柄部８に突出させると共に回転可能な送出ローラー６と、該送出ローラー６で送出されたロール紙１を切断する切断部５と、を備え、前記ロール紙１は前記送出ローラー６に周接して前記切断部５で切断可能に配設したことを特徴とするものである。
【００１５】
また、請求項５に記載のロール紙取付清掃具は、液体吸収性の帯状の紙を捲着させたロール紙１と、該ロール紙１のロール芯２に回転可能に接続した柄部８と、前記ロール芯２を回転させる送出ローラー６と、該送出ローラー６で送出されたロール紙１を切断する切断部５と、を備え、前記ロール紙１は前記送出ローラー６に周接して前記切断部５で切断可能に配設したことを特徴とするものである。
【００１６】
更には、請求項６に記載のロール紙取付清掃具は、液体吸収性の帯状の紙を捲着させたロール紙１と、該ロール紙１を回転可能に収納する開口を有した略半円筒状の収納容器１４と、該収納容器１４の開口を閉蓋するように装着した円弧面を有する清掃台７と、該清掃台７を覆うように設けられたケースカバー９と、前記ロール紙１に接触して送出する回転可能な送出ローラー６と、該送出ローラー６で送出されたロール紙１を切断する切断部５と、を備え、前記ロール紙１は前記送出ローラー６に周接して前記切断部５で切断可能に配設したことを特徴とするものである。
【実施例】
【００１７】
即ち、本発明のロール紙取付清掃具の実施例１では、図１に図示するように、ロール紙１は、パルプ、和紙、麻、シルク等を使用、または混合し圧縮して作成したあぶらとり紙や清掃紙である液体吸収性の帯状の紙をロール芯２に捲着させたものである。
【００１８】
そして、柄部８は、対峙させた一対のものでも、片側だけでも構わないもので、ロール紙１を回転可能に軸着しており、後述する清掃台７や、送出ローラー６、切断部５、ロール紙規制部３を装着するものである。
【００１９】
次に、清掃台７は、柄部８に固定された少なくとも外方に膨出する円弧面を有するもので、実施例１では、ローラー状にしており、ロール紙１を周設させた外周面で皮膚や汚れ部位に当接して汗や、水分、液状の汚れ等を吸収させるものである。
【００２０】
次いで、送出ローラー６は、ロール紙１に接触させて送出するもので、図１に図示するように、ロール紙１を清掃台７と送出ローラー６とに挟持させて送出ローラー６を指で回動させることで送出するものである。
【００２１】
更に、切断部５は、送出ローラー６で送出された水分や、汚れ等の付着した使用済みのロール紙１の端部４を切断して破棄するもので、薄板状の金属板に鋸歯状の刃部を設けたものが好適なものである。
【００２２】
更には、ロール紙規制部３は、柄部８に設けられた板バネ又はピンバネであり、ロール紙１の外周に接触して回転を規制するもので、ロール紙１が不用意に緩むことを防止してるものである。
【００２３】
そして、ロール紙１は、清掃台７の円弧面の外周に接触させて展出させると共に、清掃台７と送出ローラー６との間を通過させ、切断部５で切断可能に配設しているものである。
【００２４】
次に、本発明のロール紙取付清掃具の実施例２では、図２に図示するように、実施例１の清掃台７を排除したもので、ロール芯２に捲着させた状態のロール紙１をそのまま清掃台７として用いるものであり、その他の部分においては実施例１と重複するので詳述は省略をする。
【００２５】
次いで、本発明のロール紙取付清掃具の実施例３は、図３に図示するように、コンパクトに閉じられるタイプのものであり、ロール紙１とケース台１０とケースカバー９と送出ローラー６と切断部５とからなり、清掃台７の基端とケース台１０の一方端とを枢動可能に枢着すると共に、ケース台１０の他方端とケースカバー９の一端とを枢動可能に枢着しているものである。
【００２６】
つまり、図３（ａ）に図示する使用状態から、清掃台７とケース台１０とを枢動させることにより、図３（ｂ）に図示する収納状態となり、更に、ケース台７とケースカバー１０とを枢動させることにより、図４（ｃ）に図示する収納時とるものであり、外出等の時携帯するのに好適なものであり、他の部位は前述と重複するので省略する。
【００２７】
更に、本発明のロール紙取付清掃具の実施例４は、図４（ａ）に図示するように、柄部８をロール紙１を突出状態で回転可能に軸着した収容開口を有したケース状としたもので、清掃具７を保管時に汚れないように柄部８の収容開口を閉蓋する保護カバー１１を備えたものであり、その他の部分は前述と重複するので詳述は省略をするが、図４（ｂ）のようにして使用するものである。
【００２８】
更に、本発明のロール紙取付清掃具の実施例５は、図５（ａ）（ｂ）（ｃ）に図示するように、柄部８をロール紙１のロール芯２の軸方向に回転可能に接続したものであり、送出ローラー６はロール芯２を回転させることにより送出するようにし、切断部５に設けた刃部１２により使用済みの端部４をカットするもので、更に、清掃具７を保管時に汚れないように保護カバー１１を備えたもので、他の部位は前述と重複するので省略するが、図５（ｄ）に図示するようにして使用するものである。
【００２９】
加えて、本発明のロール紙取付清掃具の実施例６は、図６（ａ）に図示するように、柄部８に代えて略半円筒状のフレーム１５としたもので、該フレーム１５の内側には湾曲状に板１４を挿入させてロール紙１を回転可能に収納する開口を備えたものであり、更に、円弧面を有する清掃台７の上面には使用時に優しく拭き取れるようにスポンジ台１３を重積させ、更には、清掃台７を覆うようにフレーム１５の開口を閉蓋するケースカバー９を設けているものであり、他の部位は前述と重複するので省略する。
【００３０】
そして、図６（ｂ）に図示するものは、清掃具両端に摘み部１６を備え、指で摘み部１６を押さえ清掃する使用例を示すもので、図６（ｃ）は指輪摘み方法で、清掃具に指を通すバンド部１７を備え、指にバンド部１７を通して使用するものであり、ゴム材等の伸縮材をバンド部１７に使用する。図６（ｄ）は指はさみ摘み方法で、清掃具に指にはさむための摘み部１６を設けたもので、摘み部１６を指ではさんで使用するものである。
【００３１】
本発明のロール紙取付清掃具の実施例１〜６に使用するロール紙１は、片面防水、または防水紙との重ね合わせを使用することにより清掃台７、または、スポンジ台１３、または捲着させている下方のロール紙１への水分、汗、液体状の汚れ等の染み込みを防止しやすいものである。      【００３２】
また、ロール紙１に粘着性の清掃紙を使って服の毛玉や毛や糸くずやゴミ取り用としても良い。
【００３３】
【発明の効果】
ロール紙を使用するため、使用条件に合わせてロール紙をカットして使用するため無駄が少なく経済的である。ロール紙を使用した後に使用した分だけ後からカットすればよく、さらに使用面が曲面、円筒面のため扱いやすい。ロール紙と清掃具がコンパクトなため持ち運びに便利である。
【００３４】
【図面の簡単な説明】
【図１】
図１は本発明のロール紙取付清掃具の実施例１の正面図である。
【図２】
図２は本発明のロール紙取付清掃具の実施例２の正面図である。
【図３】
図３は本発明のロール紙取付清掃具の実施例３の（ａ）は使用時の正面図、（ｂ）は収納状態を示す正面図、（ｃ）は収納時の正面図である。
【図４】
図４は本発明のロール紙取付清掃具の実施例４の（ａ）は斜視図、（ｂ）は使用状態の説明図である。
【図５】
図５は本発明のロール紙取付清掃具の実施例５の（ａ）は分解斜視図、（ｂ）は組立正面図、（ｃ）は平面図、（ｄ）は使用状態の説明図である。
【図６】
図６は本発明のロール紙取付清掃具の実施例６の（ａ）は断面説明図、（ｂ）は使用状態の平面図、（ｃ）（ｄ）は使用状態の正面図である。
【符号の説明】
１…ロール紙
２…ロール芯
３…ロール紙規制部
４…端部
５…切断部
６…送出ローラ
７…清掃台
８…柄部
９…ケースカバー
１０…ケース台
１１…保護カバー
１２…刃部
１３…スポンジ台
１４…湾曲状の板
１５…フレーム
１６…摘み部
１７…バンド部
【手続補正２】
【補正対象書類名】図面
【補正対象項目名】全図
【補正方法】変更
【補正の内容】
【図１】
2002159339.tif 000001
【図２】
2002159339.tif 000002
【図３】
2002159339.tif 000003
【図４】
2002159339.tif 000004
【図５】
2002159339.tif 000005
【図６】
2002159339.tif 000006